(57)【要約】      （修正有）【課題】鼠を駆除するために鼠に毒餌を食べさせ鼠を外部で死に至らしめるようにし、繰り返し使用可能な毒餌誘引用ボックスを提供する。【解決手段】合成樹脂材料からなる下側本体２と、合成樹脂材料からなり下側本体２にヒンジ結合により開閉自在に設けられた蓋体３と、下側本体２のヒンジ結合部とは他の辺において脱着自在に設けられる合成樹脂材料からなる短尺状のパイプ部材９とからなり、パイプ部材９は、下側本体２のヒンジ結合部とは他の辺における側板７に形成された開口部の両側および下端に互いに繋がる溝１０が形成されて、パイプ部材９の長さ方向一端に溝１０に嵌入するフランジ部１１が形成され、フランジ部１１を溝１０に嵌入させることにより開口部から突出する状態と、開口部から突出せずに下側本体２内に位置する状態とに付け替え可能に構成され、さらに下側本体２の底板には仕切り５により複数の毒餌置き部６が形成されている。【選択図】図４
0003144063.tif 000002
【実用新案登録請求の範囲】
【請求項１】
合成樹脂材料からなる下側本体と、合成樹脂材料からなり前記下側本体にヒンジ結合により開閉自在に設けられた蓋体と、前記下側本体の前記ヒンジ結合部とは他の辺において脱着自在に設けられる合成樹脂材料からなる短尺状のパイプ部材とからなり、このパイプ部材は、下側本体の前記ヒンジ結合部とは他の辺における側板に形成された開口部の両側および下端に互いに繋がる溝が形成されて、パイプ部材の長さ方向一端に前記溝に嵌入するフランジ部が形成され、フランジ部を溝に嵌入させることにより開口部から突出する状態と、開口部から突出せずに下側本体内に位置する状態とに付け替え可能に構成され、さらに前記下側本体の底板には仕切りにより複数の毒餌置き部が形成されていることを特徴とする毒餌誘引用ボックス。
【請求項２】
平面形状が長方形であり、下側本体の長辺側の何れか一辺の上端でヒンジ部により蓋体が結合されており、下側本体の短辺側の互いに対向する側板には互いに対向する位置で開口部が形成されていて、この開口部にパイプ部材を脱着自在に設けてなることを特徴とする請求項１記載の毒餌誘引用ボックス。
【請求項３】
下側本体は透明乃至半透明の材料で作られていることを特徴とする請求項１または２記載の毒餌誘引用ボックス。
【請求項４】
パイプ部材は透明乃至半透明の材料で作られていることを特徴とする
請求項１から３までの何れか１項記載の毒餌誘引用ボックス。
【考案の詳細な説明】
【技術分野】
【０００１】
本考案は、鼠を強制的に捕獲するのではなく鼠を駆除するために鼠に毒餌を食べさせ鼠を外部で死に至らしめるための毒餌誘引用ボックスに関するものである。
【背景技術】
【０００２】
従来から鼠を駆除するために例えば特許文献１に開示されているように鼠を強制的に捕獲する鼠捕獲装置が多数知られている。
このような鼠捕獲装置によって鼠を捕獲することはできるが、鼠を一度捕獲すると、その匂いが鼠捕獲装置に残ったままとなり、次に鼠を捕獲しようとしても鼠が警戒して捕獲するのが難しいという問題があった。
【特許文献１】特開２００４−８１０１号公報
【考案の開示】
【考案が解決しようとする課題】
【０００３】
本考案の目的は、このような課題を解決するものであり、鼠を強制的に捕獲するのではなく鼠を駆除するために鼠に毒餌を食べさせ鼠を外部で死に至らしめるようにし、繰り返し使用可能な毒餌誘引用ボックスを提供することにある。
【課題を解決するための手段】
【０００４】
本考案の請求項１に記載の毒餌誘引用ボックスは、合成樹脂材料からなる下側本体と、合成樹脂材料からなり前記下側本体にヒンジ結合により開閉自在に設けられた蓋体と、前記下側本体の前記ヒンジ結合部とは他の辺において脱着自在に設けられる合成樹脂材料からなる短尺状のパイプ部材とからなり、このパイプ部材は、下側本体の前記ヒンジ結合部とは他の辺における側板に形成された開口部の両側および下端に互いに繋がる溝が形成されて、パイプ部材の長さ方向一端に前記溝に嵌入するフランジ部が形成され、フランジ部を溝に嵌入させることにより開口部から突出する状態と、開口部から突出せずに下側本体内に位置する状態とに付け替え可能に構成され、さらに前記下側本体の底板には仕切りにより複数の毒餌置き部が形成されていることを特徴とする。
【０００５】
請求項２に記載の毒餌誘引用ボックスは、平面形状が長方形であり、下側本体の長辺側の何れか一辺の上端でヒンジ部により蓋体が結合されており、下側本体の短辺側の互いに対向する側板には互いに対向する位置で開口部が形成されていて、この開口部にパイプ部材を脱着自在に設けてなることを特徴とする。
【０００６】
請求項３に記載の毒餌誘引用ボックスは、下側本体は透明乃至半透明の材料で作られていることを特徴とする。
請求項４に記載の毒餌誘引用ボックスは、パイプ部材は透明乃至半透明の材料で作られていることを特徴とする。
【考案の効果】
【０００７】
以上のように、本考案の毒餌誘引用ボックスによれば、毒餌誘引用ボックスが鼠の通りそうな床面や地面に置かれた状態で、毒餌の誘引効果により、鼠はパイプ部材より毒餌誘引用ボックス内に入って毒餌を食べることになる。毒餌の種類にもよるが、例えば遅効性の毒餌を食べた鼠はパイプ部材を通って毒餌誘引用ボックスから簡単に出ることができ、その後徐々に毒餌の効果により死に至ることになる。従って、鼠を強制的に捕獲するのではなく鼠を駆除するために鼠に毒餌を食べさせ鼠を外部で死に至らしめるようにし、繰り返し使用可能な毒餌誘引用ボックスを提供することができる。また、下側本体にパイプ部材を設けることにより、毒餌誘引用ボックスが置かれる周りの環境により毒餌誘引用ボックス内に厨房の水や雨水などが入ろうとするのを防止することができる。また、下側本体にパイプ部材を設けることにより、毒餌誘引用ボックス内に人間の手が入りにくくなり、例えば子供が間違って毒餌誘引用ボックス内の毒餌を取ろうとしても取ることができず、安全である。また、特に下側本体を透明乃至半透明の材料で作られておれば、鼠は毒餌誘引用ボックス内の毒餌を毒餌誘引用ボックスの外から見ることができるとともに毒餌の誘引効果により、鼠はパイプ部材より毒餌誘引用ボックス内に入って毒餌を食べることになる。そして、パイプ部材より毒餌誘引用ボックス内に入って毒餌を食べている鼠を毒餌誘引用ボックスの外から別の鼠が見ることもでき、これにより別の鼠は誘われて毒餌誘引用ボックスに入り、毒餌を食べることになり、誘引効果が向上する。毒餌誘引用ボックスと同様にパイプ部材も透明乃至半透明の材料で作っておけばより効果的である。
【考案を実施するための最良の形態】
【０００８】
以下、本考案の一実施の形態を、図１〜図６を用いて具体的に説明する。
図１〜図６において、１は下側本体２の上に蓋体３が開閉自在に設けられてなる平面形状が長方形の毒餌誘引用ボックスで、下側本体２の長辺側の何れか一辺の上端でヒンジ部４により蓋体３が結合されている。前記下側本体２の底板には仕切り５により複数の毒餌置き部６が形成されている。また、下側本体２の短辺側の互いに対向する側板７には互いに対向する位置で開口部８が形成されており、この開口部８に鼠の出入口となる短尺状のパイプ部材９が脱着自在にセットされる。詳しくは、開口部８の両側および下端には互いに繋がる溝１０が形成されており、パイプ部材９の長さ方向一端には前記溝１０に嵌入するフランジ部１１が形成されており、フランジ部１１を溝１０に嵌入させることによりパイプ部材９は開口部８にセットされるものである。なお、パイプ部材９は図４に示すように開口部８から突出する状態と、図５に示すように開口部８から突出せずに下側本体２内に位置する状態とに付け替えることができるようになっている。前記仕切り５で仕切られた複数の毒餌置き部６には鼠の誘引効果と毒殺効果がある毒餌が置かれるものである。毒餌置き部６に毒餌が置かれた後は蓋体３を閉じて蓋体３と下側本体２を前記ヒンジ部４が存在する長辺側の一辺に対向する一辺で南京錠などの錠前１２で結合される。
【０００９】
ところで、前記毒餌誘引用ボックス１は合成樹脂材料により作られている。この毒餌誘引用ボックス１に設けられるパイプ部材９も同様に合成樹脂材料により作られている。詳しくは毒餌誘引用ボックス１の下側本体２は透明乃至半透明の材料で作られているのが好ましい。これにより、毒餌誘引用ボックス１が鼠の通りそうな床面や地面に置かれた状態で、鼠は毒餌誘引用ボックス１内の毒餌を毒餌誘引用ボックス１の外から見ることができるとともに毒餌の誘引効果により、鼠はパイプ部材９より毒餌誘引用ボックス１内に入って毒餌を食べることになる。そして、パイプ部材９より毒餌誘引用ボックス１内に入って毒餌を食べている鼠を毒餌誘引用ボックス１の外から別の鼠が見ることもでき、これにより別の鼠は誘われて毒餌誘引用ボックス１に入り、毒餌を食べることになる。毒餌誘引用ボックス１と同様にパイプ部材９も透明乃至半透明の材料で作っておけばより効果的である。毒餌の種類にもよるが、例えば遅効性の毒餌を食べた鼠はパイプ部材９を通って毒餌誘引用ボックス１から簡単に出ることができ、その後徐々に毒餌の効果により死に至ることになる。
【００１０】
なお、前記パイプ部材９を備えていないと毒餌誘引用ボックス１が置かれる周りの環境により毒餌誘引用ボックス１内に厨房の水や雨水などが入りやすいため、これを防止するために毒餌誘引用ボックス１にパイプ部材９が取り付けられるものである。
【図面の簡単な説明】
【００１１】
【図１】本考案の一実施の形態における毒餌誘引用ボックスの蓋体を開いて下側本体からパイプ部材を外した状態を示す斜視図である。
【図２】図１の要部拡大斜視図である。
【図３】同パイプ部材の裏面側を長さ方向他端側から見た斜視図である。
【図４】同パイプ部材を下側本体の開口部から突出する状態に取り付けた状態を示す斜視図である。
【図５】同パイプ部材を下側本体内に位置する状態に取り付けた状態を示す斜視図である。
【図６】蓋体を閉じて蓋体と下側本体を錠前で結合した状態を示す斜視図である。
【符号の説明】
【００１２】
１    毒餌誘引用ボックス
２    下側本体
３    蓋体
４    ヒンジ部
５    仕切り
６    毒餌置き部
７    側板
８    開口部
９    パイプ部材
１０    溝
１１    フランジ部
１２    錠前
【図１】
0003144063.tif 000003
【図２】
0003144063.tif 000004
【図３】
0003144063.tif 000005
【図４】
0003144063.tif 000006
【図５】
0003144063.tif 000007
【図６】
0003144063.tif 000008